(57)【要約】【課題】ガラス枠に対するこじ開け等の強硬な不正手段に対しても、遊技盤への異物の侵入を確実に防ぐことができる弾球遊技機を提供する。【解決手段】前枠３とガラス枠４のそれぞれに、互いに入れ違いに係合するガードプレート（係合部）３０１、４０１を固設する。これにより、ガラス枠４と前枠３との隙間にバール等が挿入されても、ガードプレート３０１、４０１同士が係合当接してこじ開けを不可能にする。したがって、かかる強硬な不正手段に対しても、遊技盤２０への異物の侵入を確実に防止することができる。【選択図】図４
2007236790.tif 000002
【特許請求の範囲】
【請求項１】
盤面にゲージが形成された遊技盤を支持する前枠と、前記前枠に軸支されて回動閉塞可能に設けられるとともに前記遊技盤に発射された遊技球を前記ゲージに衝突落下させる遊技空間を前記遊技盤の盤面に対向して画成するガラス枠とを備える弾球遊技機であって、
前記ガラス枠の所定回動半径軌跡上に交差する前記前枠の前面に、当該ガラス枠の回動閉塞側に開口を有する第１係合部を設け、
前記ガラス枠を前記前枠に閉塞した状態で前記第１係合部の前記開口に挿入するとともに、当該前枠の法線方向において前記第１係合部に対し一部が対向する対向部を有する第２係合部を前記ガラス枠の前記所定回動半径位置に設けたことを特徴とする弾球遊技機。
【発明の詳細な説明】
【技術分野】
【０００１】
本発明は、遊技盤への不正なアクセスを防止し得るようにした弾球遊技機に関する。
【背景技術】
【０００２】
例えば弾球遊技機の一つであるパチンコ機は、矩形縦長の外郭枠である木枠内に、遊技盤及び複数の球通路等が形成されたプラスチック製の前枠が開閉可能に設けられるとともに、遊技盤の盤面に対向する透明なペアガラスが取り付けられたガラス枠がヒンジにより前枠の前方において開閉可能に装着されている。
【０００３】
また、前枠の下方部には、賞球や貸球等を受け貯留するための上皿部が形成された皿ユニットが設けられ、更に皿ユニットの右下方部には、遊技盤へ遊技球を発射操作するための回動式の発射ハンドルが設けられている。
【０００４】
パチンコ機は、発射ハンドルの回動操作に応じて遊技球を遊技盤へ打ち出しながら遊技を行うもので、遊技盤に設けられたチャッカー等の入賞口へ遊技球が入球することにより、所定数の遊技球を賞球として皿ユニットへ払い出すよう構成されている。
【０００５】
ところで、ヒンジで結合されているガラス枠と前枠との僅かな隙間から針金やピアノ線等の異物を侵入させ、チャッカー等の入り口付近の釘に引っ掛けて入球口を広げる等のゴト行為（不正行為）が以前から問題となっていた。
【０００６】
このような問題を解決するため、例えば特許文献１には、前枠の両側縁部に内壁部材を形成するとともにガラス枠の裏面側に内壁部材に沿うリブを設けることで、これら枠間の隙間をなくして異物の侵入を防ぐ構造が開示されている。
【０００７】
図７は、パチンコ機における従来の不正防止機構を表した断面図である。図７（ａ）に示されるように、透明板９０４を有するガラス枠９０５がヒンジ部９０６を介して前枠９０２に取り付けられ、ガラス枠９０５が前枠９０２に閉じた状態では、透明板９０４と遊技盤９０１とが対向している。前枠９０２の側縁部にはガードプレート９０３が固定され、これにより遊技盤９０１への異物の侵入を防いでいる。
【０００８】
【特許文献１】特開２００２−２８３２９号公報
【発明の開示】
【発明が解決しようとする課題】
【０００９】
しかし、近年、バール等のより強硬な手段を使ってガラス枠と前枠との隙間をこじ開け、遊技盤への不正なアクセスを試みるゴト行為が問題となっている。例えば図７に示した従来の不正防止機構においては、図７（ｂ）に示されるようにバールＢ等の金属棒が使用されると、プラスチックからなるガラス枠９０５や前枠９０２等の枠部材が変形し、ガードプレート９０３とガラス枠９０５との間に隙間が生じてしまう。このため、かかる強硬な不正行為に対しては、不正な侵入を確実に防御できるものではなかった。
【００１０】
本発明は、こうした従来の問題に鑑みてなされたものであり、バール等を使ったこじ開け等の強硬な不正手段に対しても、遊技盤への異物の侵入等を確実に防ぐことができる等の不正防止機構を備えた弾球遊技機を提供することを目的としている。
【課題を解決するための手段】
【００１１】
上述した課題を解決するため、請求項１に記載の発明は、盤面にゲージが形成された遊技盤を支持する前枠と、前記前枠に軸支されて回動閉塞可能に設けられるとともに前記遊技盤に発射された遊技球を前記ゲージに衝突落下させる遊技空間を前記遊技盤の盤面に対向して画成するガラス枠とを備える弾球遊技機であって、前記ガラス枠の所定回動半径軌跡上に交差する前記前枠の前面に、当該ガラス枠の回動閉塞側に開口を有する第１係合部を設け、前記ガラス枠を前記前枠に閉塞した状態で前記第１係合部の前記開口に挿入するとともに、当該前枠の法線方向において前記第１係合部に対し一部が対向する対向部を有する第２係合部を前記ガラス枠の前記所定回動半径位置に設けたことを特徴とする。
【００１２】
請求項１に記載の弾球遊技機によれば、ガラス枠が前枠側に回動して閉塞すると、ガラス枠側の第２係合部が前枠側の第１係合部の開口に挿入するとともに、前枠の法線方向において第２係合部の対向部が第１係合部に対向する。すなわち、第１係合部と第２係合部は互いに入れ違う位置関係となり、仮に前枠とガラス枠との間にバール等を挿入してこじ開けようとしても、これら係合部が係合当接してそれ以上のこじ開けを防止する。
【発明の効果】
【００１３】
本発明の弾球遊技機によれば、前枠に対し回動可能に取り付けたガラス枠を閉塞した状態では、前枠側の第１係合部とガラス枠側の第２係合部とが前枠の法線方向において対向する。これにより、仮に前枠とガラス枠との間にバール等を挿入してこじ開けようとしても、これら第１及び第２係合部同士が係合当接し、それ以上のこじ開けを防止することができる。したがって、かかる強引な不正手段に対しても、遊技盤面への異物の侵入等の不正なアクセスを確実に防止することができる。
【発明を実施するための最良の形態】
【００１４】
以下、本発明の好適な一実施形態として弾球遊技機の代表例であるパチンコ機をとりあげ、その構成について図面を参照しながら説明する。ここで、図１は実施形態によるパチンコ機１の外観構造を表す正面図である。図２はガラス枠４及び上球皿ユニット５を開放した状態におけるパチンコ機１の内部構造を表した図であって、主に遊技盤２０と前枠３の前面側構造を表している。また、図３は遊技盤２０を取り外してガラス枠４を開放した状態におけるパチンコ機１の斜視図である。
【００１５】
パチンコ機１は、本体を遊技島へ固定保持するための外郭枠となる矩形縦長の木枠２と、当該木枠２に対してヒンジ部材３ａにより開閉可能に装着され、通常時には木枠２の前側の開口を閉鎖する前枠３とを備えている。前枠３の前面側には、透明な２枚のガラス板から形成されペアガラス４１０と称される透明板が取り付けられたガラス枠４と、硬質プラスチックでそれぞれが一体形成された上球皿ユニット５と下球皿ユニット７とが前枠３に開閉可能に装着されている。
【００１６】
なお、前枠３内には、前枠３を木枠２側へ閉めることで自動的に施錠し、且つ、上球皿ユニット５及び下球皿ユニット７とともにガラス枠４を前枠３側へ閉めることでも自動的に施錠する図示しない施錠装置が設けられ、前枠３の前面右方部に形成されている鍵穴６に所定の鍵を挿入して開錠操作をすることにより、これらを開放することができるようになっている。
【００１７】
なお、前枠３の前面であってガラス枠４の裏面部分と対向する一カ所にガラス枠開放スイッチ４２が設けられている。ガラス枠開放スイッチ４２は、ガラス枠４が前枠３に対して閉鎖されると押圧された状態でオフ動作し、ガラス枠４が開放されるとオン動作することで、ガラス枠４の閉鎖及び開放状態を検知する。
【００１８】
はじめに、図１〜図３を参照して、パチンコ機１の前面側構造を詳細に説明する。
【００１９】
ガラス枠４の前面上部には、高輝度の発光ダイオード等のランプ類を内蔵する演出用照明部４ａが配設されている。なお、演出用照明部４ａは、例えばガラス枠４の開放エラー等を光で報知するための報知ランプとしても機能する。
【００２０】
ガラス枠４の下方において前枠３に開閉可能に設けられる上球皿ユニット５には、払い出された遊技球（賞球や貸球）を貯留して整列させる上皿部５ａが形成されている。そして、上皿部５ａの右方部には、上皿部５ａに貯留されている遊技球を下球皿ユニット７の下皿部７ａへ排出させる操作を行うための球抜きレバー８が設けられている。
【００２１】
上球皿ユニット５の前面左方部には、パチンコ機１のゲームに係る効果音又は遊技の進行を音声で案内するためのスピーカ１１を備える演出用放音部５ｃが配設されている。
【００２２】
上球皿ユニット５の下方に設けられる下球皿ユニット７には下皿部７ａが形成され、球抜きレバー８が操作されることで上球皿ユニット５から球抜きされた遊技球又は上球皿ユニット５から溢れた遊技球が球出口７ｂを介して下皿部７ａへ排出される。
【００２３】
下球皿ユニット７の前面右方部には、上皿部５ａに貯留された遊技球を遊技盤２０へ向けて打ち出す操作をするための発射ハンドル９が配設されている。発射ハンドル９は、内蔵するバネによって反時計回りに常時付勢される回動操作部９ａを有し、遊技者が回動操作部９ａに触れながら付勢力に抗して回動操作部９ａを時計回りに回動操作すると、球発射装置５０が作動して回動操作部９ａの回動角度に応じた打撃力で遊技球が遊技盤２０に打ち出されるようになっている。
【００２４】
前枠３は、木枠２と略同一寸法形状の枠部と、枠部の内側において球通路等とが一体的に形成された硬質プラスチック製の裏セット盤３０からなり、ガラス枠４と対向する裏セット盤３０の略中央には、遊技盤２０を着脱可能に収容するための開口する遊技盤収容部３１が形成されている。
【００２５】
なお、遊技盤２０は、中央に略円形の開口部を有するプラ枠２５に当該開口部を塞ぐように取り付けられ、プラ枠２５の縁部が複数の係合レバー１０により前枠３の裏面側において固定保持されている（図５、図６参照）。
【００２６】
また、ガラス枠４が前枠３側へ閉じられた状態では、ガラス枠４に取り付けられる透明なペアガラス４１０が遊技盤２０の盤面に対して所定の間隔で対向し、これら対向配置されたペアガラス４１０と盤面とにより、遊技球を転動落下させる遊技領域空間が画成される。
【００２７】
ここで、図４は、図３の矢印ＩＶで示される部分に形成された本発明に関わる不正防止機構の構造を表した横断面図である。
【００２８】
図４の実施例によれば、軸支されたヒンジ部材３ａを軸に前枠３側に回動し閉じられるガラス枠４の裏面において、当該軸から所定の回動半径だけ離間した位置に、断面略Ｌ字型のガードプレート４０１（第２係合部）がネジ若しくはリベットを介して固設されている。また、ガラス枠４に対向する前枠３の前面には、同じく断面略Ｌ字型のガードプレート３０１（第１係合部）がネジ若しくはリベットを介して固設されている。ガードプレート３０１は、前枠３において、ヒンジ部材３ａを軸に回動するガードプレート４０１の回動軌跡に対して交差する位置に設けられ、これにより、ガラス枠４が前枠３側に閉じたときガードプレート３０１とガードプレート４０１とが係合するように構成されている。
【００２９】
すなわち、ガードプレート３０１、４０１は、互いに向き合う開口と開口の先端縁に形成された対向部３０１ａ、４０１ａとをそれぞれ有しており、ガラス枠４が前枠３に閉じる方向に回動したとき、各ガードプレートの対向部３０１ａ、４０１ａが相手側の開口に挿入する。そして、ガラス枠４が完全に閉塞した状態では、図４（ｂ）に示されるように、それぞれの対向部３０１ａ、４０１ａの一端部同士が前枠３（遊技盤２０）の法線方向である前後方向において僅かな隙間を有して対向し、いわゆる入れ違いになるように形成されている。
【００３０】
かかる不正防止機構により、例えば仮に前枠３とガラス枠４との間にバール等を挿入してこれらをこじ開けようとしても、各ガードプレート３０１、４０１の対向部３０１ａ、４０１ａが相互に係合当接し、それ以上のこじ開けを防止することができる。
【００３１】
なお、これら互いに係合するガードプレート３０１、４０１は、金属素材を板金加工等することにより形成され、可能な限り剛性を有していることが望ましい。また、図４の実施形態では、一対の長尺のガードプレート３０１、４０１により不正防止機構を構成しているが、ガードプレート３０１、４０１を複数に分割し、それぞれが対応する位置（例えば３カ所）に設けて構成してもよい。
【００３２】
次に、遊技盤２０は、所定板厚の積層合板の表面に絵柄が描かれたセルが貼り付けられて盤面が形成され、その左側（ガラス枠４がヒンジ結合する側）周部に、ステンレス鋼板等からなる帯状の外レール７１が取り付けられている。また、外レール７１に沿って発射路面を挟むように、所定長さの内レール７２が遊技盤２０の盤面に突出して設けられている。そして、内レール７２よりも更に内側の盤面領域がパチンコ遊技の遊技領域となっている。
【００３３】
この遊技領域として画される遊技盤２０の盤面には、複数の釘が所定の配列パターンで打設されたゲージが形成されており、遊技盤２０へ発射された遊技球が複数の釘に衝突しながら偶発的にその方向を変えて遊技領域空間内を落下するように構成されている。
【００３４】
また、遊技盤２０の盤面には、入賞口に遊技球が入球することで入賞となるチャッカー２１と、同じく入賞口に入球することで大当たり等の特別遊技状態への抽選を起動させる始動チャッカー２２と、特別遊技状態において一定時間又は一定数の遊技球が入球するまで開放し遊技球が入ると通常よりも多くの賞球を払い出すアタッカー２３等の入賞役物が適宜の位置に配置されている。
【００３５】
チャッカー２１の入賞口には、入球した遊技球を検出する入賞球センサが取り付けられている。この入賞球センサは、例えば、磁気的、光学的、電気的手段等により遊技球の通過を非接触に検出する近接センサから形成される。
【００３６】
始動チャッカー２２は、いわゆる電動チューリップ構成の入賞役物であり、左右の羽部材を開閉させることで、ここへの入賞の確率を変動させることができるように構成されている。なお、この始動チャッカー２２の入賞口内にも上述したチャッカー２１と同様の入賞球センサ（始動口入賞球センサ）が設けられ、始動チャッカー２２への入球が検出されると、パチンコ機１の後述する主制御基板６０は、例えばアタッカー２３を開いて大当たり（確変当たり）等の通常よりも有利な条件でゲームができる特別遊技状態へ移行する抽選を行う。
【００３７】
遊技盤２０の盤面略中央には、液晶表示ユニット５３を透視可能とするとともに例えばセンター役物を構成する飾り部材２８が設けられている。上述の抽選した結果は、液晶表示ユニット５３によって演出表示され、例えば特定の図柄を揃えて表示することで大当たり等の特別遊技状態への当選を演出する。
【００３８】
アタッカー２３は、中央に横長方形状の開口からなる大入賞口を有し、この大入賞口をソレノイド（大入賞口ソレノイド）により開閉可能とする開閉扉が取り付けられている。通常遊技状態においてはこの開閉扉は閉じられ、上述の始動チャッカー２２への入球の際に行われる抽選の結果、大当たり等の特別遊技状態が成立したときに開閉扉が前方に倒され開放する。
【００３９】
なお、アタッカー２３の大入賞口へ遊技球が落入することにより、他の入賞役物よりも多くの遊技球が払い出される。このため、特別遊技状態においては、遊技者は通常よりも高い入賞確率でゲームを行うことができる。なお、大入賞口内には、左右に二つの入賞口が設けられ、いずれか一方の入賞口が特別領域を形成し、例えば大当たり当選時には、この特別領域の入賞口へ遊技球が落入する限り継続して予定される最大回数まで特別遊技状態を続けることができる。なお、アタッカー２３のそれぞれの入賞口においても、チャッカー２１と同様の近接センサからなる入賞球センサ及び特定領域入賞球センサが設けられている。
【００４０】
遊技盤２０の盤面下方部には、何れの入賞口に入球せずに落下したアウト球を集合して排出させるアウト口２４が設けられている。
【００４１】
遊技盤２０が取り付けられる前枠３の下方部には、遊技補助盤２０ａが形成され、その右方部に球発射装置５０が設けられている。球発射装置５０は、発射ハンドル９の回動操作に応じて、上球皿ユニット５の上皿部５ａに貯留されている遊技球を１球ずつ遊技盤２０の遊技領域へ打ち出す装置である。
【００４２】
球発射装置５０は、打撃ハンマ５０２のアームが球発射モータ５０１に連結しており、球発射モータ５０１を駆動することで、打撃ハンマ５０２の槌部が回動して遊技球を打撃し発射させる。
【００４３】
また、遊技補助盤２０ａには、球発射装置５０の打撃ハンマ５０２と位置整合して遊技球を遊技領域の外レール７１に向けて発射する発射レールや、演出効果音を発生するスピーカ１１等が取り付けられている。なお、遊技補助盤２０ａは上球皿ユニット５の裏側に位置し、常には閉鎖状態に保持される上球皿ユニット５によりその表面側が覆われている。
【００４４】
次に、図５及び図６を参照してパチンコ機１の裏面側の構造を説明する。なお、図５はパチンコ機１の背面図、図６は各種電子回路基板及びカバー部材等を取り外した状態におけるパチンコ機１の背面構造を表した図である。
【００４５】
前枠３の裏面側には、賞球払出装置５２等の各種機器が取り付けられた裏セット盤３０が係合レバー１０を介して着脱可能に取り付けられている。なお、裏セット盤３０には、予備賞球が貯留される予備球タンク５１が上部に取り付けられ、予備球タンク５１から賞球払出装置５２へ予備賞球を案内する予備賞球通路３２と、賞球払出装置５２から払い出された賞球又は貸球を上球皿ユニット５の上皿部５ａ又は下球皿ユニット７の下皿部７ａへ案内する賞球通路３３と、入賞口へ入球した遊技球及びアウト口２４を介して回収されたアウト球を集合させて下方の遊技施設側の球回収タンク（図示略）へ排出させる球排出通路３４等の球通路が形成されている。
【００４６】
なお、遊技盤２０の裏面側には所定間隔をおいて裏カバーが固定され、各入賞口へ落入した遊技球が、遊技盤２０の裏面と当該裏カバーとの間に形成される球集合樋を通って落下する。そして、遊技盤２０の裏面側から落下した遊技球とアウト口２４から排出されたアウト球とが合流し、これら遊技済み球が裏セット盤３０に形成されている球排出通路３４を通って球回収タンクへと回収されるように形成されている。
【００４７】
図６に示されるように、上下のヒンジ部材３６で前枠３に開閉可能に取り付けられる裏セット盤３０は、常には閉鎖レバー３７を介して遊技盤２０の裏面側に閉鎖保持される。
【００４８】
裏セット盤３０の上部に形成される予備賞球通路３２は、予備球タンク５１に接続し賞球払出装置５２側へ緩やかに下り傾斜する傾斜樋部３２１と、略Ｓ字状に屈曲するＳ字レール部３２２とに概ね区分けされる。
【００４９】
傾斜樋部３２１の底面には、遊技球が流下する方向に沿ってリブ状の仕切り壁が中央に設けられ、これにより２列の球通路が形成されている。また、傾斜樋部３２１内に突出して、球均し部材が遊技球の流下方向に沿って回動自在に吊り下げられている。かかる構成により、傾斜樋部３２１の底面から一定高さ以上で流下する遊技球（予備賞球）は、球均し部材に衝突ながら移動することでほぼ均一に均され、リブ状の仕切り壁によって２列に整列して効率良くＳ字レール部３２２へと転送される。Ｓ字レール部３２２は、下方に向かいながら二段に屈曲する球通路から形成され、これにより、予備賞球通路３２内に積み重ねられて待機する遊技球が賞球払出装置５２に与える重圧を緩和している。
【００５０】
傾斜樋部３２１の終端近傍には、必要に応じてこの球通路を手動で閉鎖し予備賞球の流れを停止可能とする球止め機構３８と、賞球払出装置５２が払い出すべき予備賞球が充分にＳ字レール部３２２内に保持されているか否か検出する球切れスイッチ３９が取り付けられている。また、球切れスイッチ３９の上部には、擬似的にＳ字レール部３２２内の球有り状態を作り出す、疑似球有り状態創出機構４０が設けられている。
【００５１】
また、傾斜樋部３２１の終端近傍には、Ｓ字レール部３２２よりも上流側に待機する予備賞球を球抜き通路３５を介してパチンコ機１の機外へ強制的に排出させる球抜きゲート４３が回動可能に形成されている。つまり、球抜き操作レバー４４を後方へ傾倒操作すると、これに連動して球抜きゲート４３が開き、傾斜樋部３２１内の予備賞球を球抜き通路３５側へ導くように構成されている。
【００５２】
予備賞球通路３２のＳ字レール部３２２に接続して賞球払出装置５２が取り付けられている。賞球払出装置５２は、上部中央にＳ字レール部３２２の終端に繋がって予備賞球を受容する受容口と、下部の左右に賞球及び貸球をそれぞれ賞球通路３３へ払い出す払出口が設けられるとともに、ケース部材内部に前後二段のインペラと、これらインペラを回転させる球払出モータ等を有している。そして、所定条件のもと払出制御基板６２から出力される払出指令信号に従って球払出モータを作動させ、インペラを時計回り又は反時計回りに回転させて、払出指令信号に基づく数量の遊技球（賞球又は貸球）を右又は左の払出口から賞球通路３３へ払い出す。なお、左右の払出口にはカウントセンサが設けられ、払い出された遊技球をカウントセンサが検出している。
【００５３】
賞球通路３３は、上球皿ユニット５の上皿部５ａへ通じる上球皿通路部３３１と、下球皿ユニット７の下皿部７ａへ通じる下球皿通路部３３２とを有して形成されている。両通路部は、賞球通路３３のほぼ下半分を閉塞するように設けられた仕切り壁３３３によって略区分けされ、仕切り壁３３３よりも上部ではそれぞれ連通して賞球払出装置５２の払出口に接続している。
【００５４】
すなわち、仕切り壁３３３に隣接する上流位置に、上球皿通路部３３１の入口である上球皿通路口３３４が開口して形成されており、賞球払出装置５２から払い出された遊技球が上球皿通路口３３４から入り、上球皿通路部３３１を落下して上球皿ユニット５の上皿部５ａへ払い出されるようになっている。
【００５５】
一方、下球皿通路部３３２の入口付近には、仕切り壁３３３の上方位置において左下方へ若干傾斜する直線状の迂回溝３３５が、裏セット盤３０の壁面と、賞球通路３３の他方の壁面を形成する図示していないカバー部材とにそれぞれ開口して形成されている。すなわち、上球皿ユニット５に貯留する遊技球が満杯になり仕切り壁３３３の上端まで遊技球が充満すると、新たに賞球払出装置５２から払い出された遊技球が、仕切り壁３３３で堰き止められて充満した遊技球を乗り越えて下球皿通路部３３２へ溢れ出るとともに、仕切り壁３３３の上方の迂回溝３３５を通って効率良く下球皿通路部３３２へ流下する。
【００５６】
なお、下球皿通路部３３２の出口には、遊技補助盤２０ａの下部に設けられた球バケット３３６が接続している。また、球バケット３３６の前方下部が下皿部７ａの球出口７ｂと連通している。これにより、下球皿通路部３３２を流下して球バケット３３６へ至った賞球が、前面の球出口７ｂを通って下球皿ユニット７の下皿部７ａへ排出される。
【００５７】
また、球バケット３３６の上面前部の開口は、遊技補助盤２０ａと下球皿ユニット７との間に形成されている球集合通路（図示略）と接続している。この球集合通路は、上球皿ユニット５の上皿部５ａの球抜き口と繋がっており、球抜きレバー８が操作されたときこの球抜き口が開放し、上皿部５ａに貯留された遊技球が、球抜き口から球集合通路及び球バケット３３６を通って下球皿ユニット７の下皿部７ａへ排出されるように形成されている。
【００５８】
更に、球集合通路は、ファール球を回収するファール球回収通路その他のこぼれ球を回収する球回収通路とも連通し、これら球回収通路によって回収された遊技球も球バケット３３６を介して下球皿ユニット７の下皿部７ａへ排出されるようになっている。
【００５９】
球排出通路３４は多段に形成された屈曲部を有し、その上端は、裏セット盤３０が前枠３に閉鎖された状態において、遊技盤２０の裏面側に設けられる裏カバーに形成された球集合樋の終端とアウト口２４とに接続される。これにより、各入賞口へ入球し球集合樋に集められた遊技球とアウト口２４に入球したアウト球が、球排出通路３４に受容され各屈曲部に衝突することで、速度が緩和されながら終端に開口する球排出口３４１へと落下する。
【００６０】
そして、球排出口３４１から排出されたこれら遊技済みの遊技球が、図示しない遊技島側のダクト（ジャバラ）を介して球回収タンクへと回収される。
【００６１】
なお、上述した予備賞球通路３２、賞球通路３３、球排出通路３４、球抜き通路３５等を塞ぐように図示しない一体のカバー部材が裏セット盤３０の裏面側に取り付けられることで、各球通路の背面壁が形成される。
【００６２】
図５に示されるように、裏セット盤３０には、パチンコ機１の動作を統括的に制御する主制御基板６０と、スピーカ１１及び発光ダイオード等を駆動して音と光による演出制御を行うサブ制御基板６１と、賞球及び貸球の払出し制御を行う払出制御基板６２と、球発射装置５０と発射ハンドル９の制御基板として機能する発射制御基板６７と、電源装置基板６３と、複数のコネクタが取り付けられて制御信号や電力の中継を行う遊技盤中継基板６４と、パチンコ機１の稼働状態若しくは遊技機情報をホール（遊技店舗）の中央の管理機器である例えばホールコンピュータへ出力するための外部端子基板６５と、液晶表示ユニット５３による画像表示を制御する画像制御基板６６等が取り付けられ、これら各種機器及び電子回路基板がワイヤーハーネス等で電気的に接続される。
【００６３】
これらパチンコ機１に設けられる制御基板によって制御される各種機器の動作について次に説明する。
【００６４】
主制御基板６０は、演算装置としてのＣＰＵと半導体メモリであるＲＯＭ、及びＲＡＭ等の電子部品が搭載されており、ＲＯＭに予め記憶されているシステムプログラムに従ってＣＰＵが入賞役及び演出の抽選等の演算処理を実行してパチンコ遊技が展開される。また、主制御基板６０には、サブ制御基板６１と、払出制御基板６２と、遊技盤中継基板６４等の各制御基板がワイヤーハーネスで接続され、これら制御基板へ指令信号を送信して各制御基板に分散制御を行わせることによりパチンコ機１全体を統括制御している。
【００６５】
ここで、サブ制御基板６１は、主制御基板６０からの演出制御信号に従い、画像制御基板６６を介して液晶表示ユニット５３に図柄等の画像を表示させる制御と、スピーカ９に対して演出効果音を鳴動させる制御と、演出用照明部４ａ等のランプ類を点灯・点滅させる制御等を行っている。
【００６６】
なお、画像制御基板６６は、圧縮された画像データを記憶するＲＯＭ、及びフレームメモリ又はビデオＲＡＭ等を有するビデオ信号処理回路（ＶＤＰ：Video Display Processor）を搭載し、液晶表示ユニット５３に対し主制御基板６０の指令信号に基づく各種演出映像を表示させる制御を行う。
【００６７】
また、主制御基板６０には、チャッカー２１及び始動チャッカー２２等に設けられている入賞球センサが遊技盤中継基板６４を介して接続され、主制御基板６０のＣＰＵがこれらの作動を検出すると、所定数の賞球を払い出すべき旨の指令信号を払出制御基板６２へ送出する。また、主制御基板６０は、始動チャッカー２２の始動口入賞球センサの作動を検知すると、ハードウエア抽選回路を起動して入賞役の抽選を行う。このとき、主制御基板６０は、サブ制御基板６１に対し演出制御信号を送出することで、飾り部材２８に設けられた液晶表示ユニット５３に複数図柄を変動表示させたり、演出用放音部５ｃのスピーカ１１に入賞に係る効果音を発生させたり、演出用照明部４ａを点灯又は点滅等させることで、入賞への期待を高める演出を行っている。
【００６８】
なお、大当たり等の入賞役が当選すると、主制御基板６０は特別遊技状態へ遊技の処理を移行させ、遊技盤中継基板６４を制御して大入賞口ソレノイドを作動し一定の要件下においてアタッカー２３の開閉扉を開放させる。これにより、特別遊技状態ではアタッカー２３への入球が可能となり、主制御基板６０は、アタッカー２３内に設けられている入賞球センサ又は特定領域入賞球センサが入賞口への入球を検出する毎に、所定数の賞球を払い出すべき旨の指令信号を払出制御基板６２へ送出する。
【００６９】
払出制御基板６２には、賞球払出装置５２の球払出モータと、カウントセンサとが接続されている。払出制御基板６２は、主制御基板６０から所定数の賞球を払い出すべき旨の指令信号を受信すると、賞球払出装置５２の球払出モータを作動して、実際に払い出された賞球をカウントセンサがカウントしながら所定数の賞球の払い出しを行っている。
【００７０】
更に、払出制御基板６２は、外部端子基板６５を介して予備球タンク５１に設けられる球切れスイッチ３９からの球切れ検出信号を入力し、予備球タンク５１及び予備賞球通路３２内の球切れ状態が所定時間以上継続しているときには、賞球払出装置５２の作動を停止するように制御している。
【００７１】
また、払出制御基板６２には、下皿満タンスイッチが接続され、下球皿ユニット７の下皿部７ａに保持される遊技球が満杯になった状態を下皿満タンスイッチが検出すると、仮に発射ハンドル９が操作されていても発射制御基板６７が球発射装置５０の作動を規制する。これにより、下球皿ユニット７が満杯の状態のときには遊技を中断させて、新たに払い出された賞球等が下皿部７ａから溢れるのを防止している。
【００７２】
発射制御基板６７は、発射ハンドル９の操作に応じて球発射装置５０の動作を制御する制御基板であり、発射ハンドル９に内蔵されるタッチセンサと、ポテンショメータと、停止スイッチと、球発射装置５０の球発射モータ５０１等が接続されている。
【００７３】
発射ハンドル９に設けられるタッチセンサは、例えば静電容量型のセンサから形成され、遊技者等が発射ハンドル９の回動操作部９ａを触れている間、検出信号（オン信号）を発射制御基板６７へ送出する。ポテンショメータは、回動操作部９ａが回動操作された回転角度に応じて電気抵抗が変化する。このため、例えば一定の電流をポテンショメータに供給することで、発射ハンドル９の回動操作量に応じた電圧信号を発射制御基板６７は得ることができる。停止スイッチは、遊技球の打ち出しを停止させるために発射ハンドル９に設けられた押圧式のスイッチである。
【００７４】
発射制御基板６７は、遊技者等が発射ハンドル９に触れタッチセンサがこれを検出している間、ポテンショメータにより検出される回動操作部９ａの回動角度に応じたトルクで球発射装置５０の球発射モータ５０１を作動させる。これにより、発射ハンドル９の回動操作量に応じた打撃力で遊技球を遊技盤２０へ打ち出す。
【００７５】
また、発射制御基板６７は、発射ハンドル９の停止スイッチの作動を検出すると、その間は遊技者等が発射ハンドル９に触れていても球発射モータ５０１の作動を規制する。また、発射制御基板６７は、払出制御基板６２に接続される下皿満タンスイッチが下皿部７ａに保持される遊技球の満杯状態を検知した場合も、球発射装置５０の作動を規制してゲームを中断させる。
【００７６】
外部端子基板６５は、ホールの例えばホールコンピュータと配線ケーブルで接続され、該ホールコンピュータに対し当該パチンコ機１の稼動状態等を報知するための出力端子基板として主に機能する。
【００７７】
外部端子基板６５には、上述した主制御基板６０及び払出制御基板６２等が接続され、これらの制御基板から当該パチンコ機１における現在の遊技機情報である例えば大当たり（特別遊技）状態、賞球払出装置５２の作動状態（遊技球の払い出し中か否か）等の情報を取得して、上述したホールコンピュータへ出力し報知する。
【００７８】
かかる構成のパチンコ機１は、上述したようにガラス枠４が前枠３に回動閉塞した状態で、それぞれのガードプレート３０１、４０１の対向部３０１ａ、４０１ａが互いに入れ違いに係合する不正防止機構を備えている。この不正防止機構により、例えば仮に前枠３とガラス枠４との間にバール等を挿入してこれらをこじ開けようとしても、各対向部３０１ａ、４０１ａが相互に係合当接し、それ以上のこじ開けを防止することができる。したがって、かかる強硬な不正行為に対しても、遊技領域が形成された遊技盤２０内への異物の侵入を確実に防ぐことができる。
【図面の簡単な説明】
【００７９】
【図１】本発明の一実施形態によるパチンコ機の外観構造を表した正面図である。
【図２】図１に示したパチンコ機のガラス枠及び上球皿ユニットを開放した状態において内部構造を表した図である。
【図３】図１に示したパチンコ機の遊技盤を取り外してガラス枠を開放した状態における斜視図である。
【図４】図３の矢印ＩＶで示される不正防止機構の実施形態を表した横断面図である。
【図５】図１に示したパチンコ機の背面図である。
【図６】図１に示したパチンコ機の各種電子回路基板等を取り外した状態における背面図である。
【図７】従来例による不正防止機構の構造を表した横断面図である。
【符号の説明】
【００８０】
１…パチンコ機                              ２…木枠
３…前枠                                    ３ａ…ヒンジ部材
４…ガラス枠                                ４ａ…演出用照明部
５…上球皿ユニット                          ５ａ…上皿部
５ｃ…演出用放音部                          ６…鍵穴
７…下球皿ユニット                          ７ａ…下皿部
７ｂ…球出口                                ８…球抜きレバー
９…発射ハンドル                            ９ａ…回動操作部
１０…係合レバー                            １１…スピーカ
２０…遊技盤                                ２０ａ…遊技補助盤
２１…チャッカー                            ２２…始動チャッカー
２３…アタッカー                            ２４…アウト口
２５…プラ枠                                ２８…飾り部材
３０…裏セット盤                            ５０…球発射装置
５１…予備球タンク                          ５２…賞球払出装置
５３…液晶表示ユニット                      ６０…主制御基板
６１…サブ制御基板                          ６２…払出制御基板
６３…電源装置基板                          ６４…遊技盤中継基板
６６…画像制御基板                          ６７…発射制御基板
７１…外レール                              ７２…内レール
３０１…ガードプレート                      ３０１ａ…対向部
４０１…ガードプレート                      ４０１ａ…対向部
【図１】
2007236790.tif 000003
【図２】
2007236790.tif 000004
【図３】
2007236790.tif 000005
【図４】
2007236790.tif 000006
【図５】
2007236790.tif 000007
【図６】
2007236790.tif 000008
【図７】
2007236790.tif 000009